(57)【要約】【課題】従来のサイディングパネルは、鋼板間にウレタンフォーム層を有してなるものがあるが、発泡時にフロンガスを使用する場合があり、環境上問題があった。また、火災時にウレタンフォームが燃焼した場合は、有害なガスが発生するという課題もあった。さらに、施工性、耐久性、環境に対する問題点も存在している。【解決手段】表面化粧材層１０２、断熱材層１０４および加工シート層１０６をこの順で積層し、前記断熱材層１０４を好適には難燃剤により難燃処理されたパルプ繊維を含む層とし、表面化粧材層１０２を建物外壁の外側表面を形成するように構成したサイディングパネル１０によって、上記課題を解決した。【選択図】図１
2015074939.tif 000002
【特許請求の範囲】
【請求項１】
建物外壁の外側表面を形成するサイディングパネルであって、前記サイディングパネルは、表面化粧材層、パルプ繊維を含む断熱材層および加工シート層がこの順で積層され、前記表面化粧材層が、前記建物外壁の外側表面を形成することを特徴とするサイディングパネル。
【請求項２】
前記断熱材層が、難燃剤により難燃処理されたパルプ繊維を含む層であることを特徴とする請求項１に記載のサイディングパネル。
【請求項３】
前記難燃剤が、ホウ素含有化合物であることを特徴とする請求項２に記載のサイディングパネル。
【請求項４】
前記パルプ繊維が、古紙由来の繊維であることを特徴とする請求項２または３に記載のサイディングパネル。
【請求項５】
前記表面化粧材層が、セラミックス、鋼、ステンレスまたはアルミニウムを使用した層であることを特徴とする請求項１〜４のいずれかに記載のサイディングパネル。
【請求項６】
前記加工シート層が、アルミニウムコーティング紙またはガラス繊維シートであることを特徴とする請求項１〜５のいずれかに記載のサイディングパネル。
【発明の詳細な説明】
【技術分野】
【０００１】
本発明は、建物外壁の外側表面を形成するサイディングパネルに関し、詳しくは、断熱性、耐火性、施工性、耐久性に優れ、火災時に有害ガスを発生する恐れが少なく、なおかつ地球環境上優れたサイディングパネルに関する。
【背景技術】
【０００２】
従来のサイディングパネルとしては、例えば、鋼板間にウレタンフォーム層を有してなる断熱パネルが知られている（例えば特許文献１参照）。しかし、ウレタンフォームは高い断熱性を有するものの、発泡時にフロンガスを使用する場合があり、環境上問題があった。また、火災時にウレタンフォームが燃焼した場合は、有害なガスが発生するという課題もあった。さらに、断熱材としてロックウールのような鉱物繊維を用いた断熱パネルも知られている（例えば特許文献２参照）。鉱物繊維は耐熱性に優れているものの、鉱物に硫黄成分が含まれる場合は、他の層の腐食をもたらすといった問題点がある。一方、従来のサイディングパネルは、建物外壁の外側表面への取り付けに難があり、施工性の改善も求められている。
【先行技術文献】
【特許文献】
【０００３】
【特許文献１】特開２００７−２３７２５号公報
【特許文献２】特開平１１−１５２８１１号公報
【発明の概要】
【発明が解決しようとする課題】
【０００４】
したがって本発明の目的は、断熱性、耐火性、施工性、耐久性に優れ、火災時に有害ガスを発生する恐れが少なく、なおかつ地球環境上優れたサイディングパネルを提供することにある。
【課題を解決するための手段】
【０００５】
本発明者の検討によれば、表面化粧材層、断熱材層および加工シート層をこの順で積層し、前記断熱材層を好適には難燃剤により難燃処理されたパルプ繊維を含む層とし、表面化粧材層を建物外壁の外側表面を形成するように構成したサイディングパネルが、前記従来の課題を解決できることを見出し、本発明を完成することができた。
【０００６】
すなわち請求項１に記載の発明は、建物外壁の外側表面を形成するサイディングパネルであって、前記サイディングパネルは、表面化粧材層、パルプ繊維を含む断熱材層および加工シート層がこの順で積層され、前記表面化粧材層が、前記建物外壁の外側表面を形成することを特徴とするサイディングパネルである。
請求項２に記載の発明は、前記断熱材層が、難燃剤により難燃処理されたパルプ繊維を含む層であることを特徴とする請求項１に記載のサイディングパネルである。
請求項３に記載の発明は、前記難燃剤が、ホウ素含有化合物であることを特徴とする請求項２に記載のサイディングパネルである。
請求項４に記載の発明は、前記パルプ繊維が、古紙由来の繊維であることを特徴とする請求項２または３に記載のサイディングパネルである。
請求項５に記載の発明は、前記表面化粧材層が、セラミックス、鋼、ステンレスまたはアルミニウムを使用した層であることを特徴とする請求項１〜４のいずれかに記載のサイディングパネルであるである。
請求項６に記載の発明は、前記加工シート層が、アルミニウムコーティング紙またはガラス繊維シートであることを特徴とする請求項１〜５のいずれかに記載のサイディングパネルである。
【発明の効果】
【０００７】
本発明のサイディングパネルは、表面化粧材層、断熱材層および加工シート層をこの順で積層し、前記断熱材層を好適には難燃剤により難燃処理されたパルプ繊維を含む層とし、表面化粧材層を建物外壁の外側表面を形成するように構成したものであるので、断熱性、耐火性、施工性、耐久性に優れ、火災時に有害ガスを発生する恐れが少なく、なおかつ地球環境上優れている。
【図面の簡単な説明】
【０００８】
【図１】本発明のサイディングパネルの一実施形態を説明するための平面図（ａ）および断面図（ｂ）である。
【発明を実施するための形態】
【０００９】
以下、図面を参照しながら本発明のサイディングパネルをさらに説明する。
図１は、本発明のサイディングパネルの一実施形態を説明するための断面図である。
図１において、本実施の形態のサイディングパネル１０は、図１（ａ）に示すように矩形板状を呈し、図１（ｂ）に示すように、表面化粧材層１０２、パルプ繊維を含む断熱材層１０４および加工シート層１０６がこの順で積層されてなり、表面化粧材層１０２が、建物外壁の外側表面を形成するように施工される。
【００１０】
表面化粧材層１０２としては、セラミックス、鋼、ステンレスまたはアルミニウムを使用した層が挙げられる。表面化粧材層１０２の厚さは、例えば０．５ｍｍ〜１．０ｍｍが好ましい。表面化粧材層１０２のサイズは、施工条件に応じて適宜決定すればよい。
【００１１】
断熱材層１０４は、パルプ繊維を含む層であり、好適には、パルプ繊維は難燃剤により難燃処理されている。パルプ繊維は、新聞紙等の古紙を原料とするものが地球環境上好適である。古紙としては、上記のような新聞古紙のほかに、書籍、雑誌、電話帳、カタログ類、上質紙、包装用箱、段ボール箱、パルプモールド、紙製緩衝材、或いは抄紙、印刷、製本、製箱、段ボール製造などの工場・事業場から排出される裁落、損紙等が挙げられる。これらは単独使用或いは二種以上の併用が可能である。以下、パルプ繊維が古紙を原料とする場合（以下、古紙パルプ繊維という）を例にとり説明する。
【００１２】
本発明では、断熱性能の観点から、断熱材層１０４における古紙パルプ繊維の密度が５０〜２００ｋｇ／ｍ３であることが好ましい。さらに好ましくは５０〜１２０ｋｇ／ｍ３である。なお、本発明でいう密度とは、ＪＩＳ Ｚ８７０３に準じた条件下で、重量（ｋｇ）／容積（ｍ３）により測定された値を意味する。
【００１３】
本発明における古紙パルプ繊維には、難燃剤が添加されるのが好適である。難燃剤としては、有害ガスを発生しない、耐熱性、耐火性に優れるといった観点から、ホウ素含有化合物、とくにホウ酸（オルトホウ酸）またはホウ砂であることが好ましい。これらホウ素含有化合物は、古紙パルプ繊維に対し、２０〜５０質量％添加するのが好ましく、２５〜４０質量％の添加がさらに好ましい。ホウ素含有化合物の添加方法としては、古紙パルプ解繊前、解繊中または解繊後にホウ素含有化合物を粉末あるいは液状で添加する方法が挙げられる。また必要に応じて、古紙パルプ繊維には、上記の難燃剤のほかにも必要に応じて各種添加剤を利用できる。例えば、接着剤等を添加できる。断熱材層１０４の厚さは、とくに制限されないが、断熱性能等を考慮すると、２０ｍｍ〜２００ｍｍが好ましく、２５ｍｍ〜１２０ｍｍがさらに好ましい。
【００１４】
加工シート層１０６は、難燃性の加工シート、例えば公知のアルミニウムをコートしたアルミニウムコーティング紙や、ガラス繊維（例えば直径５μｍ〜５０μｍ）を湿式抄紙法によりシート化した（例えば目付け１０〜５００ｇ／ｍ２）ガラス繊維シート等を用いるのが好適である。加工シート層１０６の厚さは、０．５ｍｍ〜５ｍｍが好ましい。
【００１５】
本発明のサイディングパネル１０における各層間は、接着剤等により接着し、永久的に固着することが可能である。
【００１６】
このようにして得られる本発明のサイディングパネルは、十分な断熱性および耐火性を有する。また、従来の鋼板間にウレタンフォーム層を有してなる断熱パネルに比べ、取扱いが容易であり、施工性に優れる。さらに、本発明のサイディングパネルは、ウレタンフォーム等の発泡材料を使用していないので、火災時に有毒ガスが発生することがない。また、硫黄成分のような腐食成分を使用することがないので、他の層への悪影響も防止され、耐久性に優れる。さらにまた、本発明のサイディングパネルは、古紙を利用することができるので、地球環境上優れている。
【産業上の利用可能性】
【００１７】
本発明のサイディングパネルは、断熱性、耐火性、施工性、耐久性に優れ、火災時に有害ガスを発生する恐れがなく、なおかつ地球環境上優れているので、住宅、事務所ビル、公共施設、商業施設、生産工場、物流倉庫等の建物外壁の外側表面を形成するサイディングパネルに好適に用いられる。
【符号の説明】
【００１８】
１０  サイディングパネル
１０２  表面化粧材層
１０４  断熱材層
１０６  加工シート層
【図１】
2015074939.tif 000003